(57)【要約】【課題】１枚のフィルムを瓶、コップ等の容器等に筒状もしくは筒状の一部の形状に貼付することで、容器等の内部にあたかも構造物が存在するかのような錯視を発現させることができる新しい装飾を可能にする、簡便に作製可能な光学フィルムを提供する。【解決手段】本発明にかかる光学フィルムは、偏光板を筒型もしくは筒型の一部の形状としその偏光板の内側面の一部に透明延伸フィルムを貼付することを特徴とする。ここで用いられる透明延伸フィルムは、２分の１波長板であることが好ましく、その延伸方向は貼付される偏光板の透過軸又は吸収軸に対して４４度ないし４６度の角度をなしていることが好ましい。【選択図】図２
2014059417.tif 000002
【特許請求の範囲】
【請求項１】
偏光板を筒型又は筒型の一部分の形状とし、前記偏光板の内側面の一部に透明延伸フィルムを貼付したことを特徴とする光学フィルム。
【請求項２】
前記透明延伸フィルムが２分の１波長板であることを特徴とする請求項１記載の光学フィルム。
【請求項３】
貼付される前記透明延伸フィルムの延伸軸の方向が、前記偏光板の透過軸又は吸収軸に対して４３度から４７度の角度をなすことを特徴とする請求項１又は２記載の光学フィルム。
【請求項４】
偏光板を筒型又は筒型の一部分の形状とし、前記偏光板の内側面の少なくとも一部に、前記偏光板の内側面に沿って湾曲可能な液晶素子が配置されたことを特徴とする表示装置。
【発明の詳細な説明】
【技術分野】
【０００１】
本発明は、光学フィルム及び表示装置に関する。本発明の光学フィルムは、透明容器等における装飾用のラベルとして好ましく用いることができる。
【背景技術】
【０００２】
偏光板を用いて実際にはない黒色の壁（すなわち、この黒色の壁は虚像である。）を見せる構造物として、ブラックウォールと呼ばれる玩具が知られている。これは、２枚の偏光板を筒状等にし、当該２枚の偏光板の吸収軸が直交するように組み合わせて端面を接触させ、接触面であたかも黒色の壁が形成されているかのように見せるものである。
このような構造物の一例として、例えば特許文献１には、円筒状構造物の内側に虚像を形成させる技術が開示されている。また、特許文献２には、偏光板を用いた虚像形成に関する技術が開示されている。
特許文献３には、光学フィルムと偏光板とを組み合わせてクレジットカード等の認証素子に応用した例が記載されている。しかし、この例では、光学フィルムが平面状に貼付されたものであり筒状に配置されたものではなく、立体視の要素も含まない。
【先行技術文献】
【特許文献】
【０００３】
【特許文献１】特許第３０８５６５６号公報
【特許文献２】特開２００６−３７７０７号公報
【特許文献３】特表２００１−５２５０８０号公報
【発明の概要】
【発明が解決しようとする課題】
【０００４】
上記のように２枚の偏光板を用いその透過軸の方向を直交させてその端部をつき合わせることにより錯視による像を発生させることは可能であった。しかし、２枚の偏光板を隙間なくつき合わせることは困難であり、また発生させ得る像の形状も限られることから、これまでこの種の技術の応用は玩具等に限られていた。
【０００５】
本発明は、以上の状況に鑑みてなされたものであり、１枚のフィルムで立体的な錯視による像を形成する手段を提供し、装飾の新しい手法を提案することを課題とする。
【課題を解決するための手段】
【０００６】
本発明者は、瓶、コップ等の容器等に錯視現象を応用するため、１枚のフィルムで自由度の大きな形状の錯視を発生させる技術を鋭意研究してきた。その結果、偏光板に２分の１波長板を貼付することで、１枚のフィルムで錯視による立体的な像を発生させることができること、及び２分の１波長板の形状を様々に変えることで様々な形状の像を簡便に発生させることができることを見出した。本発明は、このような検討結果に基づいてなされたものであり、より具体的には以下の通りである。
【０００７】
（１）本発明は、偏光板を筒型又は筒型の一部分の形状とし、前記偏光板の内側面の一部に透明延伸フィルムを貼付したことを特徴とする光学フィルムである。
【０００８】
（２）また本発明は、上記透明延伸フィルムが２分の１波長板であることを特徴とする上記（１）項記載の光学フィルムである。
【０００９】
（３）また本発明は、貼付される前記透明延伸フィルムの延伸軸の方向が、上記偏光板の透過軸又は吸収軸に対して４３度から４７度の角度をなすことを特徴とする上記（１）項又は（２）項記載の光学フィルムである。
【００１０】
（４）また本発明は、偏光板を筒型又は筒型の一部分の形状とし、上記偏光板の内側面の少なくとも一部に、上記偏光板の内側面に沿って湾曲可能な液晶素子が配置されたことを特徴とする表示装置である。
【発明の効果】
【００１１】
本発明によれば、瓶、コップ等といった容器等に１枚の光学フィルムを貼付することにより、錯視現象により像を発生させることが可能となり、工業的に可能な新しい装飾方法が提供される。
【図面の簡単な説明】
【００１２】
【図１】図１は、実施例１における本発明の光学フィルムの構成を示す平面図である。
【図２】図２は、図１に示した光学フィルムを円筒状にしたときに、虚像の見え方を模式的に示す斜視図である。
【図３】図３は、実施例１における光学フィルムを瓶に貼付したときの写真である。
【図４】図４は、実施例２における本発明の光学フィルムの構成を示す平面図である。
【図５】図５は、図４に示した光学フィルムを円筒状にしたときに、虚像の見え方を模式的に示す側面図である。
【図６】図６は、実施例２における光学フィルムを瓶に貼付したときの写真である。
【図７】図７は、図６の瓶に内容物（鉛筆）が含まれているときの写真である。
【発明を実施するための形態】
【００１３】
以下、本発明の具体的な実施形態について、図面を参照しながら詳細に説明する。図１は、後述する実施例１における本発明の光学フィルムの構成を示す平面図である。図２は、図１に示した光学フィルムを円筒状にしたときに、虚像の見え方を模式的に示す斜視図である。
【００１４】
本発明の光学フィルムは、瓶、コップ、グラス等といった容器のラベルとして使うことができる。
例えば瓶のラベルとして本発明の光学フィルムを使用する場合を考える。図１に示す光学フィルムは、本発明の一例であり、図１の符号１０２で示す方向の透過軸をもつ偏光板１００の表面に、当該透過軸と略４５度の角をなす符号１０３で示す方向の延伸軸を持つ透明延伸フィルム１０１を貼付されてなる。透明延伸フィルムとしては、２分の１波長板として機能するものを用いることが好ましい。以下の説明では、この透明延伸フィルムとして２分の１波長板を用いた例を説明する。この様にして得られた光学フィルムを、２分の１波長板が内側になるように瓶の周りに貼付すると、図２に示すように、瓶の内部に略垂直方向に立った黒もしくは濃紺色の構造体があるような不思議な印象を感興させることができる。２分の１波長板の形状を変えることで様々な形状の構造物の錯視を形成することが可能になる。このとき、２分の１波長板の幅を変えることにより錯視により形成される像の外枠からの距離が変わる。このことを用いて様々な形状の像を形成することが可能になる。また本発明の透明延伸フィルムはほぼ左右対称に貼付することが好ましい。
【００１５】
本発明の光学フィルムでは、例えば図１に示すように偏光板１００の表面に２分の１波長板１０１が貼付された構造を備えるので、平面視したときに偏光板１００のみが存在する領域と、偏光板１００の表面に２分の１波長板１０１が存在する領域とをもつ。別の見方をすれば、符号１００で示す領域は偏光板のみの領域であり、符号１０１で示す領域は偏光板の表面に２分の１波長板が貼付された領域である。したがって、２分の１波長板の貼付された面を内側にしてこれを筒状にした筒状構造物では、観察者から見て筒状構造物の向こう側から来た光が、（１）偏光板のみの領域を２回通過する、（２）偏光板のみの領域と２分の１波長板が貼付された領域との両方を通過する、及び（３）偏光板に２分の１波長板が貼付された領域を２回通過する、という３つのパターンのいずれかで筒状構造物を通過する。これらのパターンのそれぞれについて、光の透過挙動を説明する。
【００１６】
（１）偏光板のみの領域を２回通過する、すなわち２分の１波長板を貼っていない偏光板だけの領域だけを通る光は、筒を抜けてくる。すなわち、２分の１波長板等の透明延伸フィルムを貼付した部分を経ず、透過軸方向が共通する偏光板部分のみを２回通って筒状の構造物を通過し観察者側にくる光は筒状の構造物を抜けてくる。ただし、最初に通過する偏光板で入射光の５０％が吸収されるので、観察者側に出てくる光は５０％以下になる。このため、フィルムを付けない場合より暗く見える。
【００１７】
（２）偏光板のみの領域と２分の１波長板が貼付された領域との両方通過する光は、筒を抜けてこない。筒状構造物に対して、内側に２分の１波長板の貼付された偏光板の領域側から光が入射するとき、偏光板を通過した光が２分の１波長板を通過した際に、偏光の振動方向は２分の１波長板の延伸方向に対して対称に回転する。このとき２分の１波長板の延伸方向が、偏光板の透過軸もしくは吸収軸に対して４５度の角度になっている場合、２分の１波長板通過した際に偏光は９０度回転する。回転した偏光は、次に偏光板のみの領域を通過する際に、偏光板でほぼ吸収され観察者側に抜けてこない。この為この部分は黒色もしくは青色等に着色して見える。上記説明は、２分の１波長板が貼付された偏光板を通過した後に、偏光板のみの領域を光が通過した場合のものだが、逆の順番で光が通過した場合にも同じ現象が起こる。
【００１８】
（３）偏光板に２分の１波長板が貼付された部分を２回通過する光は、筒状構造物を抜けてくる。入射側の偏光板を通過した偏光は、その偏光板の内面側に貼付されている２分の１波長板を通過するとき、上記のように、偏光板の透過軸と２分の１波長板の延伸方向が４５度であるとき偏光の振動方向は９０度回転する。９０度回転した偏光は筒の内部を移動し観察者側の偏光板に貼付された２分の１波長板に達する。この２分の１波長板の延伸方向は、入射側のものに対して折り返されているため、入射側の２分の１波長板の延伸方向に対して直交している。このため、入射側の２分の１波長板で９０度回転した偏光は、観察者側の偏光板に貼付された２分の１波長板を通過する際に、振動方向が最初の２分の１波長板を通過する前の状態にもどる。このため観察者側の偏光板で吸収されることなく抜けてくる。
【００１９】
筒状の偏光板の一部に２分の１波長板が貼付されている場合、２分の１波長板が貼付されている領域と貼付されていない領域は常に隣接することになるが、それぞれの領域のみを通過する光は筒状構造物を抜けてくるので明るく見える一方で、光が２分の１波長板の貼付されている領域と貼付されていない領域とを通過する光は抜けてこないので暗く見える。その結果、２分の１波長板が貼付された領域とそうでない領域との境目に黒色又は有色の壁があるように見える。このとき、観察者からは、筒状構造物の内部にあたかも立体的物体が存在するかのように錯視される。また、その錯視による像は、空間に浮遊しているように見え美的な価値を有する。
【００２０】
このような偏光板を筒状にしたときの延伸フィルム、特に２分の１波長板による効果は、当初から予想できたものではなく、本発明者が長年偏光板を用いた錯視現象を研究するなかで筒状の偏光板の内部に延伸フィルムを入れその効果を検討する実験を行う中で予期せず見出したものであり、これまでどこにも見られることのない現象である。
【００２１】
上述の特許文献１に記載されたように、透過軸が直交する２枚の偏光板の端面をすきまなく貼り合わせることも行われているが、取り得る形状はごく限られる。本方法によれば貼付する２分の１波長板の形状は自由に設定することができるので、任意の形状の錯視による像を容易に形成することが可能になる。このことで初めて工業的に利用できる方法となった。
【００２２】
偏光板の透過軸と２分の１波長板の延伸軸とがなす角が４５度でない場合は、観察者側の透過軸と偏光の振動方向が一致しないため無色透明にはならない。この場合、偏光板の透過軸と２分の１波長板の延伸軸とがなす角度に依存する特有の着色が発生する。また、このときは、上記の（２）の部分も黒色もしくは青色とはならず角度に依存した着色が発生する。この様な場合は、色調が変わることによる特有の美的感興がもたらされることもあり得る。偏光板の透過軸と２分の１波長板の延伸軸とがなす角は、４３度から４７度であることが好ましく、４４度から４６度であることがより好ましい。
また延伸フィルムが２分の１波長板でない場合も領域（２）（３）はその延伸フィルムのリタデーションに依存した着色が発生し、特有の美的感興をもたらすこともあり得る。
【００２３】
本発明は特に透明な液体用の透明な瓶のラベル用途に適している。具体的には日本酒、焼酎、ジン、ウォッカ、ウイスキー等の瓶への用途が特に適している。これらの飲料のラベルとして用いることでその飲み物の中に立体的構造物が入っているかのような錯視を与えることができ消費者に特別な感興を起こさせることが可能である。また、透明なコップ等の容器の装飾用に用いてもよい。
【００２４】
また、これらの錯視される仮想な板の表面に文字、記号、模様等を表示させることができる。文字や模様を表示するためには２つの方法を用いることが可能である。１つの方法は偏光板上に貼付した２分の１波長板の１部を文字や模様の形状に切り取る方法である。このようにすることで黒もしくは青色に着色した錯視による構造物に白抜き（透明）で文字や模様を表示することが可能になる。
【００２５】
第２の方法は、文字や模様の形状をした第２の延伸フィルムを、２分の１波長板上に貼付する方法である。第２の延伸フィルムのリタデーションもしくは延伸方向を調整することによって色調を付けることが可能になる。すなわち本方法によれば単色の表示のみならずカラー表示も可能になる。
【００２６】
偏光板を筒型又は筒型の一部分の形状とし、当該偏光板の内側面の少なくとも一部に、当該偏光板の内側面に沿って湾曲可能な液晶素子が配置された表示装置もまた本発明の一つである。この表示装置は、既に述べた光学フィルムにおける透明延伸フィルムに代えて液晶素子を用いたものである。液晶素子は、上述の透明延伸フィルムと同様に、光の偏光面を回転させることが可能であり、しかも偏光面の回転の程度を電気的に制御することができる。このことから、上述の透明延伸フィルムに代えて液晶素子を用いた表示装置を用いることにより、任意に生じさせた虚像により情報等を表示することが可能となる。
【実施例】
【００２７】
以下、本発明の実施例を説明するが、本発明の範囲はこれらの実施例に限定されるものではない。
【００２８】
［実施例１］
図１は、実施例１における本発明の光学フィルムの構成を示す平面図である。実施例１では、偏光板１００における長さ方向の中央部表面に、偏光板１００の半分の長さをもつ２分の１波長板１０１を貼付した光学フィルムを用いる。言い換えると、符号１００で表される領域は２分の１波長板を貼付していない領域であり、符号１０１で表される領域は２分の１波長板が貼付された領域である。偏光板１００の表面に２分の１波長板１０１を貼付するに際し、符号１０２の矢印で表される偏光板の透過軸と、符号１０３の矢印で表される２分の１波長板の延伸方向の軸とがなす角が４５度になるようにした。図２は、図１に示した光学フィルムを円筒状にしたときに、虚像の見え方を模式的に示す斜視図である。図１で示した光学フィルムを図２のように円筒状とするに際しては、図１で示した光学フィルムを、２分の１波長板１０１が内面側になるように単に丸めるだけでもよいし、また当該光学フィルムの面のうち２分の１波長板１０１の貼付された側の面に糊の層を設けて瓶などの筒状の構造物に貼付してもよい。図２において、矢印１１７は、２分の１波長板が貼付されていない領域を表し、図１における符号１００で表された領域に対応する。矢印１１８は、２分の１波長板が貼付された領域であり、図１における符号１０１で表された領域に対応する。２分の１波長板は、筒状の構造物の内面側となる。
【００２９】
符号１１０で表される領域では、観察者と対向して筒状の構造物に入った光は、偏光板を通過したときに縦方向に振動する偏光となって構造物の内部を移動する。観察者側の偏光板の透過軸は縦方向でこの偏光の振動方向と平行であるので、構造物の内部を通過してきた偏光は観察者側の偏光板を透過する。このため、観察者には領域１１０が透明であるように観察される。
【００３０】
符号１１２で表される領域では、符号１１０で表される領域の場合と同様に、観察者と対向して筒状の構造物に入った光は、観察者とは反対側に位置する偏光板を透過することに伴って、構造物の内部での偏光の振動方向が縦方向になっている。そして、この偏光が観察者側の偏光板の内側（筒状構造物の内面側）に貼付された２分の１波長板を通過するとき、偏光の振動方向と２分の１波長板の延伸方向とは約４５度の角度をなすため、２分の１波長板を通過する際に縦方向に振動している偏光が９０度回転し横方向に振動する偏光となる。このため、観察者側の偏光板でこの偏光は吸収される。その結果、符号１１２で表される領域は黒色又は青色に観察される。
【００３１】
符号１１１で表される領域では、観察者と対向して筒状の構造物に入った光は、観察者とは反対側に位置する偏光板を通過して縦方向に振動する偏光となり、さらにその偏光板に貼付された２分の１波長板を通過したときに振動方向が９０度回転し横方向に振動する偏光となって、筒状の構造物の内部を移動する。そして、この偏光は、観察者側の偏光板の内面側に貼付された２分の１波長板を通過するとき、９０度回転して縦方向に振動する偏光となって観察者側の偏光板に入る。この偏光の振動方向と偏光板の透過軸方向とは互いに平行となるため、その際に偏光は吸収されずに通過する。その結果、符号１１１で表される領域は、符号１１０で表される領域と同様に透明に観察される。
【００３２】
上記のメカニズムで、観察者には、筒状の構造物の内部のうち符号１１２で表される領域の部分に板状の物体があるかのような錯覚を生じる。なお、符号１１３、１１４、１１５及び１１６で表される領域を抜けてくる光は、偏光板を１回だけしか通過しないため透明に観察される。このため符号１１２で表される領域における板状の物体は一部が欠けたような板として観察されることになる。しかし、実際にはこの上下の部分が欠けて見えるのはほとんど気にならない。
【００３３】
このようなメカニズムにより、観察者からは、あたかも円筒の中に黒色又は青色の板が存在しているように見える。この円筒状の光学フィルムを例えば瓶等の透明容器の表面に貼付すると、図３に示すように、観察者からは、容器の中に黒色又は青色の薄い板が存在しているように見える。なお、図３では、ガラス製容器のひずみにより、生成した虚像の一部がゆがんで見える。容器の中に透明な液体が入っている場合には、透明な液体の中に黒色又は青色の板が存在しているように見え不思議な感興を催す。このことは不思議であると同時に新鮮であり観察者に新鮮な驚きを与える。
【００３４】
［実施例２］
図４は、実施例２における本発明の光学フィルムの構成を示す平面図である。実施例２では、長方形である偏光板１２０の表面に、底辺の長さがこの長方形の長さ方向の辺の長さと同じであり、高さがこの長方形の幅方向の辺の長さと同じである三角形の形状をした２分の１波長板１２２を、三角形の底辺と長方形の長さ方向の一方の辺とが重なるように貼付した光学フィルムを用いる。言い換えると、符号１２０で表される領域は２分の１波長板を貼付していない領域であり、符号１２２で表される領域は２分の１波長板が貼付された領域である。偏光板１２０の表面に２分の１波長板１２２を貼付するに際し、矢印１２１で表される偏光板の透過軸と、矢印１２３で表される２分の１波長板の延伸方向の軸とがなす角が４５度になるようにした。図５は、図４に示した光学フィルムを円筒状にしたときに、虚像の見え方を模式的に示す側面図である。図４で示した光学フィルムを円筒状とするに際しては、図４で示した光学フィルムを、２分の１波長板１２２が内面側になるように単に丸めるだけでもよいし、また当該光学フィルムの面のうち２分の１波長板１２２の貼付された側の面に糊の層を設けて瓶などの筒状の構造物に貼付してもよい。
【００３５】
符号１３０で表される領域は、入射光が２分の１波長板の貼付されていない領域のみを通過する部分である。すなわち、図４において符号１２１で表される領域のみを入射光が通過してくる部分である。符号１３１で表される領域は、入射光が２分の１波長板の貼付されていない領域（符号１２０で表される領域）から入り、２分の１波長板の貼付された領域（符号１２２で表される領域）を経て観察者側に届くか、入射光が２分の１波長板の貼付された領域（符号１２２で表される領域）から入り、２分の１波長板の貼付されていない領域（符号１２０で表される領域）を経て観察者側に届く部分である。符号１３２で表される領域は、入射光が２分の１波長板の貼付された領域（符号１２２で表される領域）から入り、再度２分の１波長板の貼付された領域（符号１２２で表される領域）を経て観察者側に届く部分である。
【００３６】
符号１３０で表される領域では、観察者と対向して筒状の構造物に入った光は、偏光板（符号１２１で表される領域）を通過したときに縦方向に振動する偏光となって構造物の内部を移動する。観察者側の偏光板（符号１２１で表される領域）の透過軸は縦方向でこの偏光の振動方向と平行であるので、構造物の内部を通過してきた偏光は観察者側の偏光板（符号１２１で表される領域）を透過する。このため、観察者には符号１３０で表される領域が透明であるように観察される。
【００３７】
符号１３１で表される領域では、符号１３０で表される領域の場合と同様に、観察者と対向して筒状の構造物に入った光は、観察者とは反対側に位置する偏光板（符号１２１で表される領域）を透過することに伴って、構造物の内部での偏光の振動方向が縦方向になっている。そして、この偏光が観察者側の偏光板の内側（筒状構造物の内面側）に貼付された２分の１波長板（符号１２２で表される領域）を通過するとき、偏光の振動方向と２分の１波長板の延伸方向とは約４５度の角度をなすため、２分の１波長板を通過する際に縦方向に振動している偏光が９０度回転し横方向に振動する偏光となる。このため、観察者側の偏光板（符号１２２で表される領域）でこの偏光は吸収される。その結果、符号１３１で表される領域は黒色又は青色に観察される。また角度によっては、入射光が符号１２２で表される領域から入り符号１２１で表される領域から出てくる場合もあるが同様に黒色または青色に観察される。
【００３８】
符号１３２で表される領域では、観察者と対向して筒状の構造物に入った光は、観察者とは反対側に位置する偏光板（符号１２２で表される領域）を通過して縦方向に振動する偏光となり、さらにその偏光板に貼付された２分の１波長板を通過したときに振動方向が９０度回転し横方向に振動する偏光となって、筒状の構造物の内部を移動する。そして、この偏光は、観察者側の偏光板の内面側に貼付された２分の１波長板を通過するとき、９０度回転して縦方向に振動する偏光となって観察者側の偏光板（符号１２２で表される領域）に入る。この偏光の振動方向と偏光板の偏光板の透過軸方向とは互いに平行となるため、その際に偏光は吸収されずに透過する。
【００３９】
以上の結果、本実施例の錯視で見える像は「木の葉」のように見える。この円筒状のフィルムを透明容器の表面に貼ると、図６に示す写真のように、容器の中に青色の「木の葉」があるように見える。また、この容器の中に内容物が含まれている場合には、図７に示す写真のように、その内容物が容器の中に存在する木の葉の虚像を突き抜けているように見える。さらに、貼付した２分の１波長板の一部を細い帯状に切り取り「木の葉」の筋を表現することもできる。
【００４０】
一方、本発明によらずに、本発明と同様に虚像を生じさせるためには、透過軸が直交する２枚の偏光板を正確に張り合わせることが必要で、そのような方法で実現できる形状は限られている。そのため、こうした２枚の偏光板を用いる方法は玩具や科学啓蒙用のオブジェなどごく限られた用途に限られている。特にラベル等をこのような方法で作製する場合は、２枚の偏光方向の異なる偏光板を、隙間を生じないように正確に貼付する必要があるため工業的な方法としては不適当である。さらにこの方法で実現できる形状も極単純な形状に限られる。
【符号の説明】
【００４１】
１００    偏光板
１０１    ２分の１波長板
１０２    偏光板の透過軸の方向
１０３    ２分の１波長板の延伸方向
１１０    観察者と反対方向からの入射光が偏光板を２回透過して観察者側に達する領域
１１１    入射光が内側に２分の１波長板を貼付した偏光板を２回通過して観察者側に達する領域
１１２    入射光が偏光板を１回、偏光板に貼付された２分の１波長板を１回、偏光板を１回通過して観察者側に達する領域
１１３    入射光が偏光板を１回通過して観察者側に達する領域
１１４    入射光が偏光板を１回、２分の１波長板を１回通過して観察者側に達する領域
１１５    入射光が２分の１波長板を１回  偏光板を１回通過して観察者側に達する領域
１１６    入射光が１回偏光板を通過して観察者側に達する領域
１１７    偏光板のみの領域
１１８    偏光板の内側に２分の１波長板が貼付されている領域
１２０    偏光板
１２１    偏光板の透過軸の方向
１２２    ２分の１波長板
１２３    ２分の１波長板の延伸方向
１３０    入射光が偏光板のみの領域を２回透過する領域
１３１    入射光が偏光板を透過したのち２分の１波長板を透過し偏光板を透過する領域
１３２    入射光が偏光板を透過したのち２分の１波長板を２回透過しさらに偏光板を透過する領域
【図１】
2014059417.tif 000003
【図４】
2014059417.tif 000004
【図２】
2014059417.tif 000005
【図３】
2014059417.tif 000006
【図５】
2014059417.tif 000007
【図６】
2014059417.tif 000008
【図７】
2014059417.tif 000009